(57)【要約】      （修正有）【課題】屋外の気象条件に応じた的確な情報表示が可能な情報表示装置を提供する。【解決手段】表示部２と、表示部２に表示される表示情報の内容を制御する表示制御部５と、表示部周辺の視程を検出する視程検出部４とを備え、表示制御部５は視程検出部４の検出結果に基づき、表示部２の表示情報を切り替え、また検出される視程が低下するにつれて視界不良時用の表示情報の情報量を段階的に低減するとともに、輝度を上昇させる情報表示装置１である。【選択図】図１
2018106018.tif 000002
【特許請求の範囲】
【請求項１】
表示部と、
前記表示部に表示される表示情報の内容を制御する表示制御部と、
前記表示部周辺の視程を検出する視程検出部とを備え、
前記表示制御部は、前記視程検出部の検出に基づき、前記表示部の表示情報を切り替える情報表示装置。
【請求項２】
前記表示制御部は、通常時用の表示情報が表示された状態で、前記視程検出部により検出された視程が予め設定された基準値以下に低下すると、情報量を低減した視界不良時用の表示情報に切り替える請求項１に記載の情報表示装置。
【請求項３】
前記基準値は、複数設定されており、
前記表示制御部は、前記視程検出部により検出される視程が低下するにつれて、視界不良時用の表示情報の情報量を段階的に低減する請求項２に記載の情報表示装置。
【請求項４】
前記表示制御部は、表示情報の情報量の低減と共に表示情報の輝度を上昇させる請求項２または３に記載の情報表示装置。
【発明の詳細な説明】
【技術分野】
【０００１】
本発明は、情報表示装置に関し、より詳しくは、屋外に設置される情報表示装置に関する。
【背景技術】
【０００２】
近年、ディスプレイ等の表示機器を用いて広告情報等を表示するデジタルサイネージ（電子看板）が普及しつつある。例えば、特許文献１には、画像表示部の周辺における外光の明るさ等に応じて選択した色によって画像表示部に画像を表示することにより、誘引性の向上を図ったデジタルサイネージ装置が開示されている。
【先行技術文献】
【特許文献】
【０００３】
【特許文献１】特開２０１２−１２８２０９号公報
【発明の概要】
【発明が解決しようとする課題】
【０００４】
上記従来のデジタルサイネージ装置は、屋外のように外光照度が大きく変化する環境において視認性が得られる一方、霧や吹雪等で視界不良が生じた場合には、状況にふさわしい情報表示を行うことができないという問題があった。
【０００５】
そこで、本発明は、屋外の気象条件に応じた的確な情報表示が可能な情報表示装置の提供を目的とする。
【課題を解決するための手段】
【０００６】
本発明の前記目的は、表示部と、前記表示部に表示される表示情報の内容を制御する表示制御部と、前記表示部周辺の視程を検出する視程検出部とを備え、前記表示制御部は、前記視程検出部の検出に基づき、前記表示部の表示情報を切り替える情報表示装置により達成される。
【０００７】
この情報表示装置において、前記表示制御部は、通常時用の表示情報が表示された状態で、前記視程検出部により検出された視程が予め設定された基準値以下に低下すると、情報量を低減した視界不良時用の表示情報に切り替えることが好ましい。前記基準値は、複数設定することができ、前記表示制御部は、前記視程検出部により検出される視程が低下するにつれて、視界不良時用の表示情報の情報量を段階的に低減することができる。
【０００８】
また、前記表示制御部は、表示情報の情報量の低減時に表示情報の輝度を上昇させることが好ましい。
【発明の効果】
【０００９】
本発明によれば、屋外の気象条件に応じた的確な情報表示が可能な情報表示装置を提供することができる。
【図面の簡単な説明】
【００１０】
【図１】本発明の一実施形態に係る情報表示装置のブロック図である。
【図２】図１に示す情報表示装置の設置状態の一例を示す正面図である。
【図３】図１に示す情報表示装置の表示情報の一例を示す図である。
【図４】図１に示す情報表示装置の表示情報の他の例を示す図である。
【発明を実施するための形態】
【００１１】
以下、本発明の実施の形態について、添付図面を参照して説明する。図１は、本発明の一実施形態に係る情報表示装置のブロック図である。図１に示すように、情報表示装置１は、表示部２、表示情報格納部３、視程検出部４および表示制御部５とを備えている。
【００１２】
表示部２は、例えば、液晶表示器からなり、文字、記号、図形、映像等からなる情報を表示することができる。表示部２に表示される表示情報は、文字情報や画像情報、あるいはこれらの複合情報等からなり、画像情報は、静止画または動画のいずれであってもよい。表示部２の構成は、液晶表示器に限定されるものではなく、例えば、複数のＬＥＤからなるドット表示器や、有機ＥＬディスプレイ等であってもよい。
【００１３】
表示情報格納部３は、表示部２に表示される複数の表示情報が格納されている。表示情報は予め作成したものを格納することができるが、表示情報格納部３の表示情報を、インターネット等のネットワーク（図示せず）を介して、リアルタイムに追加、更新できるように構成してもよい。
【００１４】
視程検出部４は、表示部２の近傍に設置されて、表示部２の周辺の視程を検出する視程センサからなる。視程センサは、霧センサ、雨センサ、雪センサなどのように、特定の気象条件を主な検出対象とするものであってもよい。
【００１５】
表示制御部５は、表示情報格納部３に格納された複数の表示情報の中から、視程検出部４の検出に基づいて選択した表示情報を、表示部２に表示する。
【００１６】
上記の構成を備える情報表示装置１は、例えば、図２に示すように、偏平な筐体状に形成して、道路１０の脇に設置された支柱１１に取り付けることができる。情報表示装置１は、道路１０を通行する車両等から表示部２を視認できるように、表示部２が筐体６の正面側に配置されており、表示情報格納部３および表示制御部５は、筐体６に内蔵されている。視程検出部４は、道路１０に沿った視程状況を検出できるように、筐体６の上部に取り付けられている。
【００１７】
表示制御部５は、視程検出部４により検出された視程（測定距離）が、予め設定された基準値より大きい場合には、視界が良好であると判断し、例えば、図３に示す広告情報等からなる通常時用の表示情報を、表示部２に表示する。通常時用の表示情報は、特に限定されるものではなく、企業や商品・サービスの宣伝広告以外に、例えば、天気情報、道路情報、運転マナー情報などを挙げることができる。通常時用の表示情報は１種類に限定されず、複数種類の表示情報を一定時間毎に切り替えて表示してもよい。
【００１８】
一方、表示制御部５は、視程検出部４により検出された視程が基準値以下になると、視界不良と判断して、視界不良時用の表示情報を表示部２に表示する。例えば、図２に示す道路１０の脇の縁石１２を、視界不良時にドライバー等が視認し難くなるおそれがある場合には、図４に示すように、表示部２において、「注意」の文字と共に縁石の位置を矢印で示すことにより、ドライバー等への注意喚起を行うことができる。視界不良時用の表示情報としては、この他に、「通行止」等の緊急道路情報、「避難指示」等の避難情報、「地震発生」等の災害情報のような防災情報を例示することができる。視界不良時用の表示情報は、黄色など視界不良時に視認性の高い色で表示することが好ましい。また、視界不良時用の表示情報を表示する間、スピーカ（図示せず）から音情報を出力して、ドライバー等に注意喚起するように構成してもよい。視界不良時用の表示情報を表示した後、検出された視程が再び基準値を超えると、表示制御部５は、表示部２の表示情報を通常時用の表示情報に切り替える。
【００１９】
このように、本実施形態の情報表示装置１は、周辺の視界が良好な間は、予め予定されている通常時用の表示情報を表示する一方、視界が悪くなると、通常時用の表示情報による広告等の効果が薄れることから、視界不良時の表示情報に切り替えることにより、状況に応じた的確な情報表示を行うことができる。
【００２０】
視界不良時用の表示情報は、状況に合致したものであればよく、文字、図形、記号など特に限定されないが、視認し難い状況での内容把握を容易にするため、通常時用の表示情報と比較して情報量を低減することが好ましい。例えば、通常時用および視界不良時用の各表示情報に文字、数字、記号などの文字情報が含まれる場合には、通常時用の表示情報の文字数に対して、視界不良時用の表示情報の文字数を少なくして情報量を低減することにより、視界不良時に文字情報を大きく表示することができるため、表示情報の視認性を高めることができる。視界不良時用の表示情報は、文字情報を含むことが好ましいが、画像情報のみであってもよい。表示情報が画像情報の場合には、通常時用の表示情報に含まれる画像情報の一部のみを拡大して、視界不良時用の表示情報とすることにより、情報量を低減して視認性を高めることができる。
【００２１】
表示制御部５が視界不良の判定に用いる基準値は、必ずしも単一である必要はなく、複数であってもよい。すなわち、視界不良時用の表示情報を、表示情報格納部３に複数格納しておき、視程検出部４により検出される視程が徐々に小さくなって複数の各基準値以下になる度に、視界不良時用の表示情報を切り替えて表示してもよい。これにより、視界不良の程度に応じた、より的確な情報表示が可能になる。視界不良時用の表示情報を複数有する場合、表示制御部３は、視程検出部４により検出される視程が低下するにつれて、視界不良時用の表示情報の情報量を段階的に低減することが好ましい。
【００２２】
また、表示制御部５は、通常時用の表示情報から視界不良時用の表示情報に切り替える場合には、表示部２の表示輝度を上昇させることにより、表示情報の内容把握を容易にしてもよい。視界不良時用の表示情報を複数有する場合、表示制御部３は、視程検出部４により検出される視程の低下により、視界不良時用の表示情報の情報量を段階的に低減すると共に、表示情報の輝度を段階的に上昇させることができる。
【００２３】
本実施形態においては、情報表示装置１を道路脇に設置する場合を例に説明したが、情報表示装置１の場所は特に限定されるものではなく、例えば、滑走路、港、公園、広場、駅など、視界不良が生じるおそれがある屋外に設置することが可能であり、視界不良が発生した場合には、設置場所周辺の状況に適した表示内容に切り替えることができる。
【符号の説明】
【００２４】
１  情報表示装置
２  表示部
３  表示情報格納部
４  視程検出部
５  表示制御部
【図１】
2018106018.tif 000003
【図２】
2018106018.tif 000004
【図３】
2018106018.tif 000005
【図４】
2018106018.tif 000006